(57)【特許請求の範囲】
【請求項１】
支柱と、この支柱に一端部で鉛直面内で第一の回動軸心を中心として回動自在に支持された主アームと、この主アームの他端部に鉛直面内で第二の回動軸心を中心として回動自在に取付けられた扉と、主アームにおける一端部と他端部との間に一端部で鉛直面内で第三の回動軸心を中心として回動自在に連結された連結部材と、扉に一端部で鉛直面内で第四の回動軸心を中心として回動自在に連結されていると共に他端部に連結部材の他端部が鉛直面内で第五の回動軸心を中心として回動自在に連結された補助アームと、連結部材の他端部と補助アームの他端部とを支柱に鉛直面内で第五の回動軸心をもって回動自在であって鉛直方向に可動に連結すると共に当該第五の回動軸心の鉛直方向の移動を案内するように、支柱に設けられた鉛直方向に伸びた案内通路を具備した連結案内手段とを具備しており、第一の回動軸心と第二の回動軸心とを結ぶ距離は、第四の回動軸心と第五の回動軸心とを結ぶ距離よりも短く、扉の完全閉鎖位置で、第一の回動軸心と第三の回動軸心とを結ぶ直線は、第一の回動軸心を通る水平面に対して俯角をなして伸びており、第四の回動軸心と第五の回動軸心とを結ぶ直線は、第五の回動軸心を通る水平面に対して俯角をなして伸びており、第三の回動軸心と第五の回動軸心とを結ぶ線は、第五の回動軸心を通る水平面に対して仰角をなして伸びており、連結案内手段は、案内通路に嵌合されていると共に第五の回動軸心を有したスライダ又は回転自在なローラを具備している跳ね上げ式門扉。
【請求項２】
主アームと補助アームとは、側面から見て、扉の完全閉鎖位置ではほぼ互いに平行に伸び、扉の完全開放位置では、互いに交差して伸びるようになっている請求項１に記載の跳ね上げ式門扉。
【請求項３】
完全閉鎖位置からほぼ１５°までの扉の開放においては、扉の下端は、支柱側に近接するようになっている請求項１又は２に記載の跳ね上げ式門扉。
【発明の詳細な説明】
【０００１】
【発明の属する技術分野】
本発明は、車庫等の出入口に用いて好適な跳ね上げ式門扉に関する。
【０００２】
【発明が解決しようとする課題】
この種の門扉としては、例えば特開平７−２７９５６４号公報に記載のように、支柱と、この支柱に一端部で鉛直面内で回動自在に支持されたアームと、このアームの他端部に取付けられた扉とを具備したものが知られている。
【０００３】
ところで、この種の跳ね上げ式門扉では、扉の開閉時に扉自体が前方にせり出し、このせり出し分を考慮して扉の開閉を行わないと思わぬ事故を招く虞がある上に、せり出しにより扉の開閉が邪魔されて扉の開閉操作性が極めて悪く、また、せり出し分を考慮して設置すると扉内の利用空間が狭くなるという問題を有している。
【０００４】
本発明は、前記諸点に鑑みてなされたものであって、その目的とするところは、扉の前方へのせり出しをできるだけなくし得て、せり出しに起因する事故等の不都合をなくし、扉内の利用空間を広くできる跳ね上げ式門扉を提供することにある。
【０００５】
【課題を解決するための手段】
本発明の第一の態様の跳ね上げ式門扉は、支柱と、この支柱に一端部で鉛直面内で回動自在に支持された主アームと、この主アームの他端部に鉛直面内で回動自在に取付けられた扉と、主アームにおける一端部と他端部との間に一端部で鉛直面内で回動自在に連結された連結部材と、扉に一端部で鉛直面内で回動自在に連結されていると共に連結部材が鉛直面内で回動自在に連結された補助アームと、連結部材の他端部と補助アームの他端部とのうちの少なくとも一方の他端部を支柱に鉛直面内で回動自在であって鉛直方向に可動に連結すると共に当該一方の他端部の鉛直方向の移動を案内する連結案内手段とを具備している。
【０００６】
第一の態様の跳ね上げ式門扉では、連結部材と補助アームとが互いに鉛直面内で回動自在に連結されて、連結案内手段を介して連結部材の他端部と補助アームの他端部とのうちの少なくとも一方の他端部が支柱に鉛直面内で回動自在であって鉛直方向に可動に連結されているので、例えば完全閉鎖位置からの扉の開放において主アームが回動されると、それに連れて連結部材が回動されながら主アームに引きずられる結果、補助アーム全体が支柱側に若干引き寄せられて、扉の下端のせり出しをなくす方向に扉が回動され、而して、扉の前方へのせり出しをできるだけなくし得て、せり出しに起因する事故、操作性の劣化等の不都合をなくし、扉内の利用空間を広くできる。
【０００７】
本発明における連結案内手段は、第二の態様の跳ね上げ式門扉のように、連結部材の他端部を支柱に鉛直面内で回動自在であって鉛直方向に可動に連結していても、第三の態様の跳ね上げ式門扉のように、補助アームの他端部を支柱に鉛直面内で回動自在であって鉛直方向に可動に連結していても、第四の態様の跳ね上げ式門扉のように、連結部材と補助アームとがそれらの他端部同士で互いに鉛直面内で回動自在に連結されている状態で、連結部材の他端部と補助アームの他端部とを支柱に鉛直面内で回動自在であって鉛直方向に可動に連結していてもよい。
【０００８】
第二の態様の跳ね上げ式門扉では、補助アームは、その他端部で連結部材における一端部と他端部との間又は連結部材の他端部の外側に鉛直面内で回動自在に連結されてもよく、第三の態様の跳ね上げ式門扉では、連結部材は、その他端部で補助アームにおける一端部と他端部との間又は補助アームの他端部の外側に鉛直面内で回動自在に連結されてもよく、第四の態様の跳ね上げ式門扉では、連結部材の他端部と補助アームの他端部とが共通軸をもって互いに鉛直面内で回動自在に連結されていてもよい。
【０００９】
本発明の第五の態様の跳ね上げ式門扉では、第一から第四のいずれかの態様の跳ね上げ式門扉において、連結案内手段は、支柱に設けられた鉛直方向に伸びた案内通路を具備しており、案内通路は、連結部材の他端部と補助アームの他端部とのうちの少なくとも一方の他端部の鉛直方向の移動を案内している。
【００１０】
案内通路としては、支柱に設けられたスリット、溝、突条又はレールであってよく、斯かる案内通路の場合、連結案内手段は、第六の態様の跳ね上げ式門扉のように、連結部材の他端部と補助アームの他端部とのうちの少なくとも一方の他端部に設けられていると共に鉛直方向に可動となるように案内通路に嵌合されたスライダ又は回転自在なローラを具備しているとよい。
【００１１】
本発明の跳ね上げ式門扉では、好ましくは、その第七の態様の跳ね上げ式門扉のように、扉の完全閉鎖位置で、支柱に対する主アームの鉛直面内での回動軸心と主アームに対する連結部材の鉛直面内での回動軸心とを結ぶ直線は、支柱に対する主アームの鉛直面内での回動軸心を通る水平面に対して俯角をなして伸びており、扉に対する補助アームの鉛直面内での回動軸心と連結部材に対する補助アームの鉛直面内での回動軸心とを結ぶ直線は、連結部材に対する補助アームの鉛直面内での回動軸心を通る水平面に対して俯角をなして伸びており、主アームに対する連結部材の鉛直面内での回動軸心と連結部材に対する補助アームの鉛直面内での回動軸心とを結ぶ直線は、連結部材に対する補助アームの鉛直面内での回動軸心を通る水平面に対して仰角をなして伸びている。
【００１２】
また本発明の跳ね上げ式門扉では、好ましくは、その第八の態様の跳ね上げ式門扉のように、主アームと補助アームとは、側面から見て、扉の完全閉鎖位置ではほぼ互いに平行に伸び、扉の完全開放位置では、互いに交差して伸びるようになっている。
【００１３】
更に本発明の跳ね上げ式門扉では、好ましくは、その第九の態様の跳ね上げ式門扉のように、完全閉鎖位置からほぼ１５°までの扉の開放においては、扉の下端は、支柱側に近接するようになっている。
【００１４】
次に本発明の実施の形態を、図に示す好ましい例に基づいて更に詳細に説明する。なお、本発明はこれら例に何等限定されないのである。
【００１５】
【発明の実施の形態】
図１から図５において、本例の跳ね上げ式門扉１は、立設された一対の中空の角形の支柱２及び３と、支柱２及び３に一端部４及び５で軸部材６及び７を介して鉛直面内でＡ及びＢ方向に回動自在に支持された角材からなる主アーム８及び９と、主アーム８及び９の他端部１０及び１１に軸部材１２（支柱３側は図示せず）を介して鉛直面内でＣ及びＤ方向に回動自在に取付けられた扉１３と、主アーム８及び９における一端部４及び５と他端部１０及び１１との間に一端部１４（支柱３側は図示せず）で軸部材１５（支柱３側は図示せず）を介して鉛直面内でＥ及びＦ方向に回動自在に連結されている角材からなる連結部材１６及び１７と、扉１３に一端部１８及び１９で軸部材２０（支柱３側は図示せず）を介して鉛直面内でＧ及びＨ方向に回動自在に連結されていると共に連結部材１６及び１７が軸部材３５（支柱３側は図示せず）を介して鉛直面内でＪ及びＫ方向に回動自在に連結された角材からなる補助アーム２１及び２２と、連結部材１６及び１７の他端部２３（支柱３側は図示せず）と補助アーム２１及び２２の他端部２４及び２５とのうちの少なくとも一方の他端部、本例では両他端部２３並びに２４及び２５を支柱２及び３に鉛直面内でＪ及びＫ方向に回動自在であって鉛直方向Ｖに可動に連結すると共に当該他端部２３並びに２４及び２５の鉛直方向Ｖの移動を案内する連結案内手段２６（支柱３側は図示せず）と、扉１３の上枠２７に並置されていると共に一端部２８が支柱２側の主アーム８の他端部１０に他端部２９が支柱３側の主アーム９の他端部１１に夫々固着された補強横部材３０と、主アーム８及び９並びに補助アーム２１及び２２等の重量に基づくＢ方向の回動モーメントに抗するＡ方向の回動力を主アーム８及び９に付与して扉１３の開放を容易にすると共に扉１３の中途開放及び完全開放を維持するバランサ３１及び３２とを具備している。
【００１６】
扉１３は、上枠２７に加えて、縦枠４１及び４２と、縦枠４１及び４２を橋絡下した目隠し用の多数の横格子４３と、下枠４４と、縦枠４１及び４２の夫々の下面に取付けられたストッパ４５及び４６と、縦枠４１及び４２に固着されたブラケット４７（支柱３側は図示せず）を具備している。扉１３としては、横格子４３を具備したものに限定されず、縦格子を取付けたもの等その他のものであってもよい。ブラケット４７に軸部材１２及び２０が取付けられている。
【００１７】
本例では、支柱２側と支柱３側とは、互いに同様に構成されているので、以下、支柱２側について説明する。
【００１８】
連結部材１６と補助アーム２１とは、その夫々の他端部２３及び２４同士で軸部材３５を介して互いに鉛直面内でＪ及びＫ方向に回動自在に連結されている。
【００１９】
連結案内手段２６は、支柱２に固着されていると共に鉛直方向Ｖに伸びた断面Ｕ字状の案内部材５１と、軸部材３５に回転自在に取付けられていると共に案内部材５１により規定されて鉛直方向Ｖに伸びた案内通路５２に嵌合されたローラ５３と、ローラ５３の一定以上の下降を禁止するストッパ５４とを具備しており、こうして、本例の連結案内手段２６は、支柱２に設けられた鉛直方向Ｖに伸びた案内通路５２と、連結部材１６の他端部２３と補助アーム２１の他端部２４とのうちの少なくとも一方の他端部、本例では両他端部２３及び２４に軸部材３５を介して設けられていると共に鉛直方向Ｖに可動となるように案内通路５２に嵌合された回転自在なローラ５３とを具備して、而して、両他端部２３及び２４を支柱２に鉛直面内でＪ及びＫ方向に回動自在であって鉛直方向Ｖに可動に連結すると共に両他端部２３及び２４の鉛直方向Ｖの移動を案内するようになっている。
【００２０】
本例では、ストッパ４５が地面５５に当接して、扉１３が地面５５に直立した扉１３の完全閉鎖位置（図２に示す位置）で、支柱２に対する主アーム８の鉛直面内でのＡ及びＢ方向の回動軸心６１（軸部材６の軸心）と主アーム８に対する連結部材１６の鉛直面内でのＥ及びＦ方向の回動軸心６２（軸部材１５の軸心）とを結ぶ直線６３は、回動軸心６１を通る水平面に対して俯角αをなして伸びており、扉１３に対する補助アーム２１の鉛直面内でのＧ及びＨ方向の回動軸心６４（軸部材２０の軸心）と連結部材１６に対する補助アーム２１の鉛直面内でのＪ及びＫ方向の回動軸心６５（軸部材３５の軸心）とを結ぶ直線６６は、回動軸心６５を通る水平面に対して俯角βをなして伸びており、回動軸心６２と回動軸心６５とを結ぶ直線６７は、回動軸心６５を通る水平面に対して仰角γをなして伸びており、扉１３に対する主アーム８の鉛直面内でのＣ及びＤ方向の回動軸心６８（軸部材１２の軸心）と回動軸心６１との間の距離Ｌ１は、回動軸心６４と回動軸心６５との間の距離Ｌ２よりも短く、主アーム８と補助アーム２１とは、側面から見て、ほぼ互いに平行に伸びるようになっており、完全閉鎖位置（図２に示す位置）からほぼ１５°までの主アーム８のＡ方向の回動による扉１３の開放においては、扉１３の下端７１は、支柱２側に近接するようになっており、扉１３の完全開放位置（図６参照）では、主アーム８と補助アーム２１とは互いに交差して伸びるようになっている。
【００２１】
バランサ３１は、ばね、重錘、ガススプリング等からなり、軸部材６に連結されて支柱２及び３内に配されている。
【００２２】
以上の跳ね上げ式門扉１では、完全閉鎖位置では図２に示すようにストッパ４５が地面５５に当接して、しかも、扉１３が地面５５にほぼ直立した状態になる。この状態で手動により扉１３が持ち上げられることにより又は支柱２に内蔵された図示しない電動モータにより軸部材６を介して主アーム８がＡ方向に回動されると、主アーム８に軸部材１５を介して一端部１４が連結された連結部材１６は、主アーム８に対してＦ方向に回動されながら主アーム８に引きずられる結果、連結部材１６の他端部２４は、ローラ５３の回転を介して案内通路５２に案内されて上昇され、この上昇で補助アーム２１は全体として支柱２側に少し引っ張られ、この引っ張りにより扉１３は主アーム８の他端部１０に対してＤ方向に回動され、従って、扉１３は、その下端７１が図６の軌跡ａ−ｂ−ｃで示すように前方にせり出すことなしに、地面５５にほぼ直立した状態をもって上昇し、完全閉鎖位置（図２に示す位置）からほぼ１５°まで主アーム８がＡ方向に回動された後は、主アーム８のＡ方向の回動と共に扉１３は、その下端７１が若干前方にせり出しつつ図６に示す軌跡ｃ−ｄ−ｅ−ｆをもって上昇する。なお、下端７１が軌跡ｅからｆをもって扉１３が上昇する間は、主アーム８と補助アーム２１とは互いに交差して伸びるようになっている。
【００２３】
下端７１が軌跡ｆの位置となる扉１３の完全開放状態では、ローラ５３がストッパ５４に当接してローラ５３のそれ以上の下降が禁止される結果、主アーム８の鉛直面内でのＡ方向のそれ以上の回動ができなくなる。
【００２４】
扉１３を完全開放状態から完全閉鎖状態にするには、手動により扉１３を引き下げることにより又は支柱２に内蔵された図示しない電動モータにより軸部材６を介して主アーム８をＢ方向に回動すればよい。扉１３の完全閉鎖状態への移行でも、扉１３は、その下端７１が図６に示す軌跡ｆ−ｅ−ｄ−ｃ−ｂ−ａをもって下降する。
【００２５】
このように跳ね上げ式門扉１では、扉１３の開放において扉１３の下端７１のせり出しをなくす方向に扉１３が回動され、而して、扉１３の前方へのせり出しをできるだけなくし得て、せり出しに起因する事故、操作性の劣化等の不都合をなくし、扉内の利用空間を広くできる。
【００２６】
上記例では、連結部材１６の他端部２３と補助アーム２１の他端部２４とを共通の軸部材３５により相互に回動自在に連結し、軸部材３５にローラ５３を設けて、これにより連結部材１６の他端部２３と補助アーム２１の他端部２４とを連結案内手段２６を介して支柱２に連結したが、これに代えて、連結部材１６の他端部２３のみを軸部材３５及び連結案内手段２６を介して支柱２に直接的に連結し、補助アーム２１の他端部２４を連結部材１６に他の軸部材を介して相互に回動自在に連結してもよく、また、補助アーム２１の他端部２４のみを軸部材３５及び連結案内手段２６を介して支柱２に直接的に連結し、連結部材１６の他端部２３を補助アーム２１に他の軸部材を介して相互に回動自在に連結してもよい。
【００２７】
【発明の効果】
本発明によれば、扉の前方へのせり出しをできるだけなくし得て、せり出しに起因する事故、操作性の劣化等の不都合をなくし、扉内の利用空間を広くできる跳ね上げ式門扉を提供することができる。
【図面の簡単な説明】
【図１】本発明の実施の形態の好ましい例の斜視図である。
【図２】図１に示す例の一方の支柱側の側面説明図である。
【図３】図２に示す支柱側の一部拡大側面説明図である。
【図４】図２に示す支柱側の一部拡大側面説明図である。
【図５】図１に示す例の一方の支柱側の背面説明図である。
【図６】図１に示す例の動作説明図である。
【符号の説明】
１  跳ね上げ式門扉
２、３  支柱
４、５  一端部
８、９  主アーム
１０、１１  他端部
１３  扉
１４  一端部
１５  軸部材
１６、１７  連結部材
１８、１９  一端部
２１、２２  補助アーム
２３、２４、２５  他端部
２６  連結案内手段
【図１】
0004720012.tif 000002
【図２】
0004720012.tif 000003
【図３】
0004720012.tif 000004
【図４】
0004720012.tif 000005
【図５】
0004720012.tif 000006
【図６】
0004720012.tif 000007